(57)【要約】【課題】  瞳孔間距離の測定を良好に行える。【解決手段】  左右両眼における被検眼の位置を検出することによって被検者の瞳孔間距離を測定する瞳孔間距離計であって、検査窓を介して前記被検眼に向けて光を照射する照射手段と、被検眼と固視標との間に配置され、前記被検眼に対して測定用マークを形成させる測定用マーク形成手段と、前記照射手段からの光によって前記被検眼の角膜上に形成される角膜反射像に対して前記測定用マークの形成位置を移動させる測定用マーク移動手段と、前記角膜反射像に対して位置合わせされた前記測定用マークの第１の形成位置と、第１の形成位置とは異なる位置において前記角膜反射像に対して位置合わせされた前記測定用マークの第２の形成位置とに基づいて，被検眼の位置を検出する眼位置検出手段と、を備えることを特徴とする。【選択図】      図６
2015123256.tif 000002
【特許請求の範囲】
【請求項１】
左右両眼における被検眼の位置を検出することによって被検者の瞳孔間距離を測定する瞳孔間距離計であって、
検査窓を介して前記被検眼に向けて光を照射する照射手段と、
被検眼と固視標との間に配置され、前記被検眼に対して測定用マークを形成させる測定用マーク形成手段と、
前記照射手段からの光によって前記被検眼の角膜上に形成される角膜反射像に対して前記測定用マークの形成位置を移動させる測定用マーク移動手段と、
前記角膜反射像に対して位置合わせされた前記測定用マークの第１の形成位置と、第１の形成位置とは異なる位置において前記角膜反射像に対して位置合わせされた前記測定用マークの第２の形成位置とに基づいて，前記被検眼の位置を検出する眼位置検出手段と、
を備えることを特徴とする瞳孔間距離計。
【請求項２】
前記測定用マーク形成手段は、前記測定用マークとして、第１の測定用マークと、前記第１の測定用マークと異なる位置に形成される第２の測定用マークと、を含む２つの測定用マークを同時に形成し、
前記眼位置検出手段は、前記第１の測定用マークによる前記第１の形成位置と、前記第２の測定用マークによる前記第２の形成位置に基づいて前記被検眼の位置を検出することを特徴とする請求項１の瞳孔間距離計。
【請求項３】
前記第１の測定用マークと前記第２の測定用マークの中間位置に前記角膜反射像が位置されるように、前記測定マーク移動手段によって前記２つの測定用マークが移動された後、
前記眼位置検出手段は、前記第１の測定用マークによる前記第１の形成位置と、前記第２の測定用マークによる前記第２の形成位置との中間位置を前記被検眼の位置として検出することを特徴とする請求項２の瞳孔間距離計。
【請求項４】
前記測定用マーク形成手段は、液晶ディスプレイを備え、
測定用マーク移動手段は、検者によって操作される操作部からの操作信号に基づいて、前記液晶ディスプレイの表示を制御する表示制御部であり、
第１の画素に対応する前記第１の形成位置と、前記第１の画素に対して隣接する第２の画素に対応する前記第２の形成位置とに、前記測定用マークを形成させることを特徴とする請求項１〜３のいずれかの瞳孔間距離計。
【請求項５】
前記測定用マーク形成手段は、被検者の左右方向に垂直な方向に並んだライン状のセグメントを有するセグメント型液晶ディスプレイを備え、
測定用マーク移動手段は、検者によって操作される操作部からの操作信号に基づいて、前記液晶ディスプレイの表示を制御する表示制御部であり、
前記セグメント型液晶ディスプレイは、第１のセグメントに対応する前記第１の形成位置と、前記第１のセグメントに対して隣接する第２のセグメントに対応する前記第２の形成位置とに、測定用マークを形成可能であることを特徴とする請求項１〜４のいずれかの瞳孔間距離計。
【請求項６】
前記測定用マーク移動手段は、０．５ｍｍステップで前記測定用マークを移動させることを特徴とする請求項１〜５のいずれかの瞳孔間距離計。
【請求項７】
前記眼位置検出手段は、単一の測定用マークによる単一の形成位置に基づいて前記被検眼の位置を検出する第１の眼位置検出モードと、前記第１の測定用マークによる前記第１の形成位置と、前記第２の測定用マークによる前記第２の形成位置に基づいて被検眼の位置を検出する第２の眼位置検出モードと、を切り換える検出モード切換手段を備えることを特徴とする請求項１〜６のいずれかの瞳孔間距離計。
【発明の詳細な説明】
【技術分野】
【０００１】
被検眼の瞳孔間距離を測定するための瞳孔間距離計に関する。
【背景技術】
【０００２】
眼鏡の調整においては、レンズの主光学軸が平均的使用状態での注視距離（これを作業距離ともいう）のもとで、対応する眼球の光学軸と一致するようにしなければならない。このためには、被検者の眼球の光学軸間距離（瞳孔間距離）を測定する必要がある。
【０００３】
従来において、被検眼の角膜に形成された照明光の虚像である角膜輝点と、液晶に表示されたヘアライン（測定用マーク）と、の位置を合わせることによって瞳孔の位置を決定し、瞳孔間距離を測定する瞳孔間距離計が知られている（例えば、特許文献１参照）。
【先行技術文献】
【特許文献】
【０００４】
【特許文献１】特開平１−１５８９３３号公報
【特許文献２】特開平２−１５４７３４号公報
【発明の概要】
【発明が解決しようとする課題】
【０００５】
しかしながら、従来において、角膜輝点と液晶に表示したヘアラインとの位置が合わず、瞳孔間距離に誤差が生じる場合があった。
【０００６】
本発明は、上記問題点を鑑み、瞳孔間距離の測定を良好に行える瞳孔間距離計を提供することを技術課題とする。
【課題を解決するための手段】
【０００７】
上記課題を解決するために、本発明は以下のような構成を備えることを特徴とする。
【０００８】
（１）  左右両眼における被検眼の位置を検出することによって被検者の瞳孔間距離を測定する瞳孔間距離計であって、検査窓を介して前記被検眼に向けて光を照射する照射手段と、被検眼と固視標との間に配置され、前記被検眼に対して測定用マークを形成させる測定用マーク形成手段と、前記照射手段からの光によって前記被検眼の角膜上に形成される角膜反射像に対して前記測定用マークの形成位置を移動させる測定用マーク移動手段と、前記角膜反射像に対して位置合わせされた前記測定用マークの第１の形成位置と、第１の形成位置とは異なる位置において前記角膜反射像に対して位置合わせされた前記測定用マークの第２の形成位置とに基づいて，被検眼の位置を検出する眼位置検出手段と、を備えることを特徴とする。
【図面の簡単な説明】
【０００９】
【図１】本実施例の外観を示す概略図である。
【図２】本実施例を被検者側から見たときの外観図である。
【図３】本実施例の光学系を示す概略図である。
【図４】本実施例の制御系を示すブロック図である。
【図５】本実施例に測定用マークの表示方法を説明するための図である。
【図６】本実施例の測定用マークの表示方法を説明するための図である。
【図７】本実施例の測定用マークの表示方法を説明するための図である。
【発明を実施するための形態】
【００１０】
＜概要＞
以下、本実施例の概要を説明する。本実施例の瞳孔間距離計１（図１参照）は、左右の被検眼の位置を検出することによって、被検者の瞳孔間距離を測定する。なお、左右の被検眼の位置は別々に検出してもよい。また、瞳孔間距離を測定する場合、左右眼の一方の瞳孔から他方の瞳孔までの距離を測定してもよいし、顔の中心（例えば鼻）から左右眼のそれぞれの瞳孔までの距離に基づいて測定してもよい。
【００１１】
本実施例の瞳孔間距離計１は、照射部（例えば、固視標照明用光源３１（図３参照））と、測定用マーク形成部（例えば、ディスプレイ３６）と、測定用マーク移動部（例えば、制御部７０（図４参照））と、眼位置検出部（例えば、制御部７０）と、を主に備える。
【００１２】
照射部は、例えば、検査窓を介して被検眼に向けて光を照射する。照射部には、例えば、ＬＥＤまたは電球、その他の光源が用いられてもよい。照射部は、固視標を照明する照明光源と兼用されてもよい。
【００１３】
＜測定用マーク形成部＞
測定用マーク形成部は、例えば、被検眼Ｅと固視標との間に配置される。また、測定用マーク形成部は、被検眼Ｅに対して測定用マークを形成させる。測定用マークは、例えば、被検者の瞳孔と位置合わせをするためのマークである。測定用マークは、例えば、被検者の上下方向にライン形状であってもよいし、多角形状であってもよい。測定用マークは、被検眼Ｅの瞳孔に対して位置合わせできればよい。
【００１４】
測定用マーク形成部は、例えば、液晶ディスプレイ、有機ＥＬディスプレイ等のディスプレイ３６であってもよい。例えば、測定用マーク形成部は、セグメント型液晶ディスプレイであってもよいし、マトリックス型ディスプレイ等であってもよい。また、測定用マーク形成部は、モノクロディスプレイであってもよいし、カラーディスプレイ等であってもよい。ディスプレイ３６は、測定用マークをデジタル表示可能なデジタル表示器であってもよい。
【００１５】
測定用マーク形成部は、第１の測定用マークＭと第１の測定用マークＭとは異なる位置に形成される第２の測定用マークＭｓとを形成してもよい。また、測定用マーク形成部は、第１の測定用マークＭと第２の測定マークＭｓと、を含む２つの測定用マークを同時に形成してもよい。ただし、必ずしも２つの測定用マークを同時に形成しなくてもよい。
【００１６】
＜測定用マーク移動部＞
測定用マーク移動部は、例えば、照射部からの光によって被検眼の角膜上に形成される角膜反射像（角膜輝点）に対して、測定用マークの形成位置を移動させる。
【００１７】
測定用マーク移動部は、例えば、測定用マーク形成部に用いられるディスプレイ等の表示を制御する表示制御部であってもよい。表示制御部は、例えば、検者によって操作される操作部からの操作信号に基づいて、ディスプレイ３６の表示を制御してもよい。
【００１８】
測定マーク移動部は、例えば、ディスプレイ３６の第１の画素に対応する第１の形成位置と、第１の画素に対して隣接する第２の画素に対応する第２の形成位置とに、測定用マークを形成させてもよい。測定用マーク移動部は、例えば、セグメント型液晶ディスプレイ等において、第１のセグメントに対応する第１の形成位置と、第１のセグメントに対して隣接する第２のセグメントに対応する第２の形成位置とに、測定用マークに形成させてもよい。
【００１９】
＜眼位置検出部＞
眼位置検出部（例えば、制御部７０）は、例えば、角膜反射像に対して位置合わせされた測定用マークの第１の形成位置と、第１の形成位置とは異なる位置において角膜反射像に対して位置合わせされた測定用マークの第２の形成位置とに基づいて，被検眼の位置を検出する。眼位置検出部は、例えば、第１の形成位置と第２形成位置から被検眼の位置を計算によって求めてもよい。また、眼位置検出部は、例えば、第１の形成位置と第２の形成位置とに紐づけられた被検眼の位置を、記憶部（例えば、メモリ７２）等から読み出してもよい。
【００２０】
＜検出モード切換部＞
なお、本距離計１は、検出モード切換部（例えば、制御部７０）を備えてもよい。検出モード切換部は、例えば、単一の測定用マークによる単一の形成位置に基づいて被検眼Ｅの位置を検出する第１の眼位置検出モードと、第１の測定用マークによる第１の形成位置と、第２の測定用マークによる第２の形成位置に基づいて被検眼Ｅの位置を検出する第２の眼位置検出モードと、を切り換えてもよい。
【００２１】
＜実施例＞
以下、本発明の実施例を図面に基づいて説明する。本実施例の瞳孔間距離計（以下、本距離計ともいう）１は、被検者の瞳孔間距離を測定するための装置である。本距離計１は、例えば、被検眼に照明光を照射し、角膜頂点に輝点を形成させる。この輝点は、照明光の虚像であり、角膜頂点の位置に形成される。本距離計１は、左右の角膜頂点に形成された輝点及び本距離計１の機械中心の位置に基づいて、被検者の瞳孔間距離を測定する。
【００２２】
＜外観＞
図１、図２を参照して、本距離計１の外観を説明する。図１は、本実施例の瞳孔間距離計１を上方から見たときの概観を示す。図２は、本実施例の瞳孔間距離計１を図１のＷ方向から見たときの外観図である。
【００２３】
本距離計１は、筺体２と、額当て３と、鼻当て４と、観察窓５と、検査窓６（図６参照）と、表示部７を主に備える。筺体２には、電源ボタン２１と、測定用マーク移動ボタン（以下、移動ボタンともいう）２２Ｒ，２２Ｌと、測定用マーク移動ボタン（以下、移動ボタンともいう）２３Ｒ，２３Ｌと、測定モード切換ボタン２４と、作業距離変更ボタン２５等が配置される。測定用マーク移動ボタン２２Ｒ，２２Ｌは、被検者の右眼側に表示される後述の測定用マークを左右に移動させるときに用いられる。測定用マーク移動ボタン２３Ｒ，２３Ｌは、被検者の左眼側に表示される後述の測定用マークを左右に移動させるときに用いられる。測定モード切換ボタン２４は、測定モードを、右眼測定モード、左眼測定モード、両眼測定モードのいずれかに切り換える場合に用いられる。作業距離変更ボタン２５は、瞳孔間距離の計算に用いられる作業距離を変更するために用いられる。筺体２の内部には、後述する測定光学系３０が収納される。
【００２４】
額当て３は、被検者の額に当接され、被検者と本距離計１との位置を固定するために用いられる。鼻当て４は、被検者の鼻に当接され、被検者の鼻と本距離計１の機械中心とを一致させるために用いられる。観察窓５は、検者が被検眼を観察するために用いられる。検査窓６は、後述する固視標を被検者に観察させるために用いられる。表示部７は、測定された瞳孔間距離などを表示するために用いられる。
【００２５】
＜測定光学系＞
図３を参照して、本距離計１の測定光学系３０を説明する。本距離計１の測定光学系３０は、固視標照明用光源３１と、固視標３２と、ミラー３３と、凸レンズ３４と、接眼レンズ３５と、ディスプレイ３６と、を主に備える。
【００２６】
固視標照明用光源３１は、固視標３２を背後から照明する。固視標照明用光源３１は被検眼に向けて光を照射する照射手段として機能する。凸レンズ３４の焦点距離及びその配置は、固視標が容易に見えるように考慮されている。
【００２７】
本実施例では、固視標の呈示距離（作業距離）は固定されている。しかし、ある作業距離での瞳孔間距離が分かれば、異なる作業距離での瞳孔間距離を計算で求めることができる。したがって、本実施例では、瞳孔間距離計１によって測定された瞳孔間距離データを補正することによって、任意の作業距離での瞳孔間距離を測定することが可能である。なお、本実施例において、任意の作業距離は、予め設定された作業距離の中から作業距離変更ボタン２５によって選択される。
【００２８】
例えば、制御部７０は、測定された瞳孔間距離と設定された作業距離のデータに基づいて、次式より設定された作業距離に対する瞳孔間距離を演算して求める。本距離計１に固有であって既知の作業距離Ｄｍ時の瞳孔間距離をＰＤｍ、求める作業距離Ｄｎでの瞳孔間距離をＰＤｎとすると、ＰＤｎは以下の式で算出される。
【００２９】
【数１】
2015123256.tif 000003
【００３０】
なお、ＶＤは角膜頂点距離（例えば、日本人は１２ｍｍとして計算）、Ｒは眼球回旋半径（例えば、１３ｍｍ）で測定精度の関係で定数として扱っても支障はない。Ｌは無限遠を見た状態の被検眼の角膜頂点とディスプレイ３６との距離であり、設計上既知の値である。このようにして求められた瞳孔間距離は、例えば、予めメモリ７２に記憶されていてもよい。なお、瞳孔間距離の計算方法は、特許文献１及び特許文献２に記載の方法を利用してもよい。
【００３１】
前述のように、補正計算をすることで、任意の作業距離での瞳孔間距離を測定することができる。このため、本実施例では、被検者が固視標を融像しやすいように作業距離を近距離にしている。接眼レンズ３５は、検者が被検者の角膜上にできた輝点を観測する際に用いられる。接眼レンズ３５は、角膜上にできた輝点の付近にピントが合うように考慮されている。ディスプレイ３６は、後述する測定用マークを形成させる。ディスプレイ３６は、測定用マーク形成手段として機能する。
【００３２】
なお、本実施形態のディスプレイ３６には、透過型ディスプレイの一種であるセグメント型液晶ディスプレイを用いている。セグメント型液晶ディスプレイの各セグメントは透明金属コートを施されたガラスをフォトエッチングして製造される。ただし、セグメント型の液晶でなくともよく、例えば、マトリックス型の液晶を用いてもよい。セグメント型液晶については、特許文献２に記載されている。
【００３３】
ディスプレイ３６は、固視標３２と被検眼の角膜との間に配置される。ディスプレイ３６は、例えば、被検者の角膜頂点から３０ｍｍの位置に配置されているが、これに限らない。ディスプレイ３６から角膜頂点までの距離は、既知であって演算が容易であればよい。
【００３４】
＜制御系＞
図４を参照して、本距離計１の制御系を説明する。本距離計１の制御系は、ＣＰＵ７１及びメモリ７２などを有する制御部７０を主に備える。制御部７０は、表示部７と、電源ボタン２１と、測定用マーク移動ボタン２２Ｒ，２２Ｌと、測定用マーク移動ボタン２３Ｒ，２３Ｌと、測定モード切換ボタン２４と、作業距離変更ボタン２５と、固視標照明用光源３１と、ディスプレイ３６等と接続される。
【００３５】
図５は、本実施例に用いられるディスプレイ３６を示す概略図である。ディスプレイ３６は、被検者の上下方向に延びるライン状の測定用マークＭを表示する。ディスプレイ３６には、ライン状のセグメントが縦方向に多数配列されている。なお、図５〜７において説明の都合上、各セグメントの領域を実線で示している。
【００３６】
ディスプレイ３６は、各セグメントを偏光表示することによって測定用マークＭを表示させる。例えば、あるセグメントの両端に電圧を掛けると、偏波面を曲げる液晶の作用がなくなり、その部分は、偏光板により光を透過することができず、暗いライン（測定用マークＭ）として見える。本実施例のディスプレイ３６は、セグメントの幅が０．４ｍｍで、各セグメント間のピッチ（間隔）が０．１ｍｍである。すなわち、本実施例に用いるディスプレイ３６は、各セグメントの中心間の距離が、０．５ｍｍである。したがって、制御部７０は、ディスプレイ３６に形成される測定用マークＭの形成位置を０．５ｍｍステップで移動させることができる。なお、測定用マークは必ずしもライン状である必要はなく、位置合せできるものであればよい。
【００３７】
＜操作方法および制御動作＞
以下、本実施例の瞳孔間距離計１の操作方法を、瞳孔間距離計１の制御を交えて説明する。まず、検者は、電源ボタン２１を操作し、瞳孔間距離計１の電源を入れる。電源が入ると、制御部７０は、固視標照明標光源３１を点灯させる。
【００３８】
そして、測定モード切換ボタン２４を操作し、両眼測定モード、右眼測定モード、左眼測定モードを切り換え、所望の測定モードに切り換える。各測定モードは、検者によって測定モード切換ボタン２４が操作される度に切り換わる。以下の説明では、例えば、両眼測定モードが選択されたものとして説明する。
【００３９】
次に検者は、作業距離変更ボタン２５を押し、作業距離の設定を変更する。例えば、制御部７０は、作業距離変更ボタン２５が押される度に作業距離を３０ｃｍ、４０ｃｍ、５０ｃｍ、６０ｃｍ、１ｍ、２ｍ、無限遠など、作業距離を切り換える。制御部７０は、選択された作業距離を表示部７に表示してもよい。前述のように、本距離計１で測定された瞳孔間距離のデータを補正計算することで、選択された作業距離における被検者の瞳孔間距離を間接的に測定する。なお、作業距離の設定変更は、測定後でもよい。
【００４０】
続いて、検者は、瞳孔間距離計１の額当て３を被検者の額に当てる。また、検者は、鼻当て４を被検者の鼻に当てる。そして、検者は、被検者に検査窓６を覗かせ、固視標を固視させる。
【００４１】
固視標照明用光源３１を出射し固視標３２を照明した照明光は、ミラー３３で反射され、凸レンズ３４を介し、角膜に入射する。角膜表面は凸面鏡の役割をはたし、虚像を結ぶ。この虚像は角膜の曲率が小さいので、微小な輝点として見える。被検者が固視標３２を固視していれば、被検者の両眼の視軸は作業距離点で交差し、角膜上の輝点は角膜頂点上に位置する。
【００４２】
検者は、観察窓５を覗き、接眼レンズ３５を介して被検眼に形成された輝点を観察する。そして、検者は、移動ボタン２２Ｒ，２２Ｌと、２３Ｒ，２３Ｌを操作し、角膜輝点に重なるように測定用マークＭを移動させる。制御部７０は、測定用マーク移動ボタン２２Ｒ，２２Ｌと、測定用マーク移動ボタン２３Ｒ，２３Ｌからの操作信号を受け付け、測定用マークＭの表示位置を制御し、移動させる。このように、制御部７０は、ディスプレイ３６に形成された測定用マークの形成位置を移動させる測定用マーク移動手段として機能する。
【００４３】
測定用マークＭの移動方法について図５に基づいて説明する。図５は、観察窓５から被検者の右眼を観察したときの様子を示す。まず、図５のように、角膜輝点が１つのセグメント内に位置する場合について説明する。例えば、角膜輝点Ｐがセグメントｃ内にあるとする。測定用マークＭは、セグメントｂに表示されているとする（図５（ａ）参照）。例えば、制御部７０は、測定用マークＭを表示しているセグメントを識別できる。制御部７０は、例えば、測定用マークＭを表示しているセグメント及び作動距離変更ボタン２５によって選択された作業距離に対応する距離をメモリ７２から読み込む。そして、制御部はメモリ７２から読み込んだ距離を表示部７に表示させてもよい。もちろん、メモリ７２から対応する距離を読み込むだけでなく、測定用マークＭの位置が変更されるごとに計算して求めてもよい。このように、制御部７０は、被検眼の位置を検出する眼位置検出手段として機能する。例えば、測定用マークがセグメントｂに表示され、作業距離は１ｍに設定されている場合、表示部７に表示された右眼の瞳孔距離は３３．００ｍｍであったとする。
【００４４】
検者は、測定用マークＭを右側に移動させるために、移動ボタン２２Ｒを押す。制御部７０は、移動ボタン２２Ｒからの操作信号を取得し、ディスプレイ３６の表示を制御する。制御部７０は、測定用マークＭをどのセグメントに表示しているか識別している。移動ボタン２２Ｒが押されると、制御部７０は、セグメントｂに第１の測定マークＭを表示させた状態で、右隣りのセグメントｃにも第２の測定用マークＭｓを表示させる（図５（ｂ）参照）。このとき、制御部７０によって、セグメントｂとセグメントｃの中間の位置が瞳孔の位置として検出され、メモリ７２から測定値が読み出される。例えば、表示部７には、右眼の瞳孔距離（本距離計１の機械中心から瞳孔までの距離）として３２．７５ｍｍが表示される。
【００４５】
検者は、さらに移動ボタン２２Ｒを押す。制御部７０は、移動ボタン２２Ｒが押されると、セグメントｃのみに測定用マークＭが表示される（図５（ｃ）参照）。つまり、１つの測定用マークＭと角膜輝点Ｐが重なった状態となる。このとき、制御部７０によって、セグメントｃの中心の位置が瞳孔の位置として決定され、メモリ７２から測定値が読み出される。例えば、表示部７には、右眼の瞳孔距離として３２．５０ｍｍが表示される。
【００４６】
このように、制御部７０は、移動ボタン２２Ｒ，２２Ｌまたは移動ボタン２３Ｒ，２３Ｌが押されるごとに、第１の測定用マークＭが表示される場合と、第１の測定用マークＭ及び第２の測定用マークＭｓが表示される場合と、を交互に切り換えて表示する。本距離計１は、測定用マークの表示ステップが０．５ｍｍ間隔であるとすると、その半分の０．２５ｍｍ刻みで瞳孔間距離の測定を行う。
【００４７】
次に、図６，７に示すように、角膜輝点Ｑがセグメントとセグメントの間に位置する場合について説明する。例えば、角膜輝点Ｑがセグメントｄとセグメントｅの中間の位置にあるとする。測定用マークＭは、セグメントｃに表示されているものとする（図６（ａ）参照）。このとき、表示部７に表示された右眼の瞳孔距離は、３２．５０ｍｍであるとする。
【００４８】
検者は、前述と同様に、移動ボタン２２Ｒ，２２Ｌまたは移動ボタン２３Ｒ，２３Ｌを押して測定用マークＭを角膜輝点Ｑの方向に移動させる。図６の場合は、検者は、移動ボタン２２Ｒを３回押す。前述と同様に、制御部７０は、移動ボタン２２Ｒが押される度に、第１の測定用マークＭと第２の測定用マークＭｓの表示を切り換える。
【００４９】
例えば、図６（ａ）の状態で移動ボタン２２Ｒが１回押されると、制御部７０は、セグメントｃに第１の測定用マークＭを表示し、セグメントｄに第２の測定用マークＭｓを表示する（図６（ｂ）参照）。そして、制御部７０は、セグメントｃとセグメントｄの間の位置を瞳孔の位置とし、メモリ７２から測定値を読み出す。そして、制御部７０は、表示部７に測定値を表示する。制御部７０は、例えば、右眼の瞳孔距離として、３２．２５ｍｍと表示部７に表示する。
【００５０】
図６（ｂ）の状態で、移動ボタン２２Ｒが１回押されると、制御部７０は、ディスプレイの表示を制御し、セグメントｄに第１の測定用マークＭを表示させる（図６（ｃ）参照）。そして、制御部７０は、例えば、右眼の瞳孔距離の測定値として表示部７に３２．００ｍｍと表示する。
【００５１】
図６（ｂ）の状態で、移動ボタン２２Ｒが１回押されると、制御部７０は、セグメントｄに第１の測定用マークＭを表示させ、セグメントｅに第２の測定用マークＭｓを表示させる（図７（ａ）参照）。
【００５２】
このように、制御部７０は、移動ボタン２２Ｒ，２２Ｌ，２３Ｒ，２３Ｌが押されるごとに、順次測定用マークＭの表示を切り換える。前述の例では、制御部７０は、移動ボタン２２Ｒが押されるごとに、第１の測定用マークＭが表示される場合と、第１の測定用マークＭ及び第２の測定用マークＭｓが表示される場合と、を交互に切り換えながら、瞳孔の検出位置を０．２５ｍｍステップで角膜輝点Ｑの方向に移動させる（図６（ａ）〜図７（ａ）参照）。
【００５３】
図６（ａ）に示す状態から、移動ボタン２２Ｒが３回押された時点で、セグメントｄに第１の測定用マークＭが表示され、セグメントｅに第２の測定用マークＭｓが表示される（図７（ａ）参照）。このとき、制御部７０は、セグメントｄとセグメントｅの中間の位置、つまり、角膜輝点Ｑが形成された位置が被検眼の瞳孔の位置として決定される。そして、制御部７０によって、メモリ７２から測定値が読み出され、表示部７にメモリ７２から読み出された測定値が表示される。例えば、制御部７０は、右眼の瞳孔距離として表示部に３１．７５ｍｍと表示する。
【００５４】
なお、左の被検眼においても同様に測定を行い、左右眼の瞳孔間距離が測定される。
【００５５】
このように、本実施例の制御部７０は、２つの測定用マークの位置から瞳孔間距離を測定する。これによって、各セグメントの中間に角膜輝点が存在する場合であっても、瞳孔の位置をより正確に決定することができる。
【００５６】
また、２つの測定用マークの位置から瞳孔間距離を測定することによって、より精度の高い測定を行うことができる。例えば、２つの測定用マークの中間位置を測定することによって、分解能を２倍にすることができる。
【００５７】
例えば、分解能を大きくするために、解像度の高いディスプレイ用いると、１画素の幅が細くなってしまい、測定用マークの視認性が低下する。しかしながら、本実施例においては、解像度の高いディスプレイを用いることなく、測定用マークの視認性を保ったまま、分解能を大きくすることができる。
【００５８】
なお、例えば、図７（ａ）に示す状態で、測定用マーク移動ボタン２２Ｒが一回押されると、セグメントｅのみに測定用マークＭが表示された状態となる（図７（ｂ）参照）。この場合、制御部７０は、セグメントｂの中心位置に基づいて、瞳孔の位置を決定する。
【００５９】
なお、以上の説明において、単一の測定用マークＭによる単一の形成位置に基づいて被検眼の位置を検出するモードを第１の眼位置検出モードとし、第１の測定用マークによる第１の形成位置と、第２の測定用マークによる第２の形成位置とに基づいて被検眼の眼位置を検出するモードを第２の眼位置検出モードとする。すると、本実施例において、制御部７０は、第１の眼位置検出モードと、第２の眼位置検出モードと、を切り換えている。例えば、本実施例において制御部７０は、第１の眼位置検出モードと、第２の眼位置検出モードとを交互に切り換えている。以上のことから、制御部７０は、検出モード切換手段として機能しているといえる。
【００６０】
なお、以上の説明において、第１の眼位置検出モードと、第２の眼位置検出モードは、それぞれ０．５ｍｍステップにて被検眼の検出位置が割り当てられている。例えば、本実施例において、各セグメントの中心間の距離は０．５ｍｍであるため、セグメントの中心で眼位置を検出する場合も、２つのセグメントの間で眼位置を検出する場合も、被検眼の検出位置の間隔は、０．５ｍｍとなる。
【００６１】
したがって、第１の眼位置検出モードと、第２の眼位置検出モードを併用することによって、０．２５ｍｍごとに眼位置を検出することができる。つまり、第１の眼位置検出モード及び第２の眼位置検出モードはそれぞれ０．５ｍｍステップにて被検眼の検出位置が割り当てられ、第１の眼位置検出モードに関して互いに隣接する２つの検出位置の中間位置に、第２の眼位置検出モードにおける検出位置が割り当てられており、眼位置検出手段は、第１の眼位置検出モード及び第２の眼位置検出モードに併用によって、０．２５ｍｍステップにて被検眼の検出位置が割り当てられている。
【００６２】
なお、測定用マーク形成手段（例えば、ディスプレイ３６）は、第１の眼位置検出モードにおいて、測定用マークとして単一の測定用マークを被検眼Ｅに対して形成してもよい。また、測定用マーク形成手段（例えば、ディスプレイ３６）は、第２の眼位置検出モードにおいて、第１の測定用マークと、第１の測定用マークと異なる位置に形成される第２の測定用マークと、を含む２つの測定用マークを同時に形成してもよい。また、測定用マーク形成手段（例えば、ディスプレイ３６）は、第１の眼位置検出モード及び第２の眼位置検出モードにおいてそれぞれ０．５ｍｍステップにて測定用マークを形成してもよい。
【００６３】
また、測定用マーク移動手段（例えば、制御部７０）は、第１の眼位置検出モード及び第２の眼位置検出モードにおいてそれぞれ０．５ｍｍステップにて測定用マークを移動させてもよい。
【００６４】
以上のことから、測定用マーク形成手段は、第１の眼位置検出モードにおいて、測定用マークとして単一の測定用マークを被検眼に対して形成し、第２の眼位置検出モードにおいて、第１の測定用マークと、第１の測定用マークと異なる位置に形成される第２の測定用マークと、を含む２つの測定用マークを同時に形成し、測定用マーク形成手段は、第１の眼位置検出モード及び第２の眼位置検出モードにおいてそれぞれ０．５ｍｍステップにて測定用マークを形成可能であり、測定用マーク移動手段は、第１の眼位置検出モード及び第２の眼位置検出モードにおいてそれぞれ０．５ｍｍステップにて測定用マークを移動可能であるといえる。
【００６５】
なお、以上の説明において、移動ボタン２２Ｒ，２２Ｌまたは移動ボタン２３Ｒ，２３Ｌが押されるごとに、第１の測定用マークＭが表示される場合と、第１の測定用マークＭ及び第２の測定用マークＭｓが表示される場合と、を交互に切り換えて表示されるものとしたが、これに限らない。例えば、右眼測定モードにおいて、移動ボタン２２Ｒまたは移動ボタン２２Ｌの内、一方のボタンが続けて操作された場合、測定用マークＭは１セグメントずつ、入力された方向に移動される。そして、他方のボタンが操作されたときに、操作前に測定用マークＭが表示されていたセグメントの隣りのセグメントに第２の測定用マークＭｓが表示されるようにしてもよい。
【００６６】
例えば、被検者の右眼を測定するのときに、角膜輝点より左側に測定用マークＭがあるとする。検者は、測定用マーク移動ボタン２２Ｒを押して、測定用マークＭを右側に移動させていく。測定用マークＭが角膜輝点Ｑの左隣りのセグメントｃに表示されたとする（図６（ｃ）参照）。検者は、もう一度測定用マーク移動ボタン２２Ｒを押すと、測定用マークＭは、角膜輝点Ｑの右隣りのセグメントｅに表示される（図７（ｂ）参照）。そこで、検者は、測定用マーク移動ボタン２２Ｌを押す。すると、制御部７０は、セグメントｅに測定用マークＭを表示したままセグメントｄにも第２の測定用マークＭｓを表示させる。そして、制御部７０は、セグメントｄとセグメントｅとの間の値を瞳孔の位置として瞳孔間距離を算出してもよい。
【００６７】
このように、測定用マークの移動方法は、本実施例の方法に限定されない。検者が測定しやすい測定マークの移動方法に設定されることが好ましい。
【００６８】
なお、第１の測定用マークＭと第２の測定用マークＭｓを２つ同時に表示させ、２つの測定用マークＭ，Ｍｓの形成位置から瞳孔の位置を決定するものとしたが、これに限らない。例えば、測定用マークの異なる形成位置に基づいて、瞳孔の位置を求めてもよい。例えば、検者は、セグメントａに測定用マークＭを表示した状態で、図示無き記録ボタンを押す。記録ボタンが押されると、制御部７０は、測定用マークＭをセグメントａに表示していることをメモリに記憶させる。その後、検者は、移動ボタン２２Ｒ，２２Ｋまたは移動ボタン２３Ｒ，２３Ｌ等を押し、測定用マークＭをセグメントｂに移動させる。制御部７０によって測定用マークＭがセグメントｂに表示されると、検者は、再び記録ボタンを押す。制御部７０は、２回目に記録ボタンが押されると、１回目にメモリ７２に記憶したセグメントａの情報を読み出す。そして、制御部７０は、セグメントａとセグメントｂの位置からその中間の値を瞳孔の位置として設定し、瞳孔間距離を求める。または、始めにメモリ７２に記憶させたセグメントａの位置から求めた測定値と、セグメントｂの位置から求めた測定値の平均値を瞳孔間距離としてもよい。以上のように、２つの測定用マークを同時に表示させなくてもよい。
【００６９】
なお、本実施例では、測定用マークを移動させる場合、移動ボタン２２Ｒ，２２Ｌ等を操作するものとしたが、これに限らない。例えば、図示無きリニアポテンショメータと連動するノブを操作することによって、測定用マークＭを移動させてもよい。このような構成は、特許文献１及び特許文献２に詳しく説明されている。
【００７０】
なお、測定用マークＭと角膜輝点の位置関係を確認し易くするために、制御部７０は、測定用マークＭを点滅表示させるようにしてもよい。これによって、角膜輝点が測定用マークＭに重なっている場合でも、角膜輝点の位置を視認することが可能となる。
【符号の説明】
【００７１】
１  瞳孔間距離系
２  筺体
３  額当て
４  鼻当て
２１  電源ボタン
２４  測定モード切換ボタン
２５  作業距離変更ボタン
３０  測定光学系
３１  固視標照明用光源
３２  固視標
３６  液晶ディスプレイ
７０  制御部
７２  メモリ
【図１】
2015123256.tif 000004
【図２】
2015123256.tif 000005
【図３】
2015123256.tif 000006
【図４】
2015123256.tif 000007
【図５】
2015123256.tif 000008
【図６】
2015123256.tif 000009
【図７】
2015123256.tif 000010